(57)【特許請求の範囲】
【請求項１】
ナイロン、ポリエステル等の合成繊維、レーヨン等の半合成繊維、絹、綿等の天然 繊維から選ばれる１又は複数の繊維からなる非弾性フィラメント糸又は非弾性紡績糸 （以下、単に非弾性糸という）と、ポリウレタン弾性糸又は／及びポリエーテル・エ ステル系弾性糸（以下、単に弾性糸という）とを同行させた１×１トリコットであっ    て、各編針において非弾性糸が閉じ目により、弾性糸が開き目により編成され、かつ    、前記の編地に１９０℃〜１９５℃のプレセット又は／及びヒートセットが施されて    いることを特徴とする伸縮性たて編地。
【請求項２】
請求項１に記載の伸縮性たて編地において、各編針における非弾性糸及び弾性糸が    、ともに開き目と閉じ目とを交互に、ただし、同じ編針においては非弾性糸の開き目    に対して弾性糸は閉じ目、非弾性糸の閉じ目に対して弾性糸は開き目が組み合わされ    編成されていることを特徴とする伸縮性たて編地。
【請求項３】
１インチ当たり６０ウエール以上の巾狭に仕上加工されていることを特徴とする、    請求項１又は２に記載の伸縮性たて編地。
【請求項４】
非弾性糸のランナーを弾性糸のランナーよりも大きく、かつ、非弾性糸のランナー    を８５〜１２０ｃｍ／ラック、弾性糸のランナーを７０〜１１０ｃｍ／ラックにして    編成したことを特徴とする、請求項１〜３のいずれかに記載の伸縮性たて編地。
【請求項５】
ラッシェル機を用いて編成されていることを特徴とする、請求項１〜４のいずれか    に記載の伸縮性たて編地。
【請求項６】
部分的に、他の部分よりも繊度の大きな弾性糸を編糸に用い締付パワー強化部分と    して編成されていることを特徴とする請求項１〜５のいずれかに記載の伸縮性たて編    地。
【請求項７】
弾性糸を挿入したことを特徴とする請求項１〜６のいずれかに記載の伸縮性たて編    地。
【請求項８】
非弾性糸を挿入したことを特徴とする請求項１〜７のいずれかに記載の伸縮性たて    編地。
【請求項９】
ジャカードラッシェル機を用い、編地に柄出しして編成されていることを特徴とす    る請求項１〜８のいずれかに記載の伸縮性たて編地。
【請求項１０】
ジャカードダブルラッシェル機を用い、編地が筒状もしくは袋状に編成されている    ことを特徴とする請求項１〜８のいずれかに記載の伸縮性たて編地。
【請求項１１】
ジャカードダブルラッシェル機を用い、編地が筒状もしくは袋状に、かつ柄出しし    て編成されていることを特徴とする請求項１〜８のいずれかに記載の伸縮性たて編地    。
【請求項１２】
請求項１〜１１のいずれかに記載の伸縮性たて編地を複数枚重ね、貼り合わせてな    ることを特徴とする伸縮性たて編地。
【請求項１３】
請求項１〜１１のいずれかに記載の伸縮性たて編地の中から選んだ少なくとも２種    の編地を複数枚組み合わせて重ね、貼り合わせてなることを特徴とする伸縮性たて編    地。
【請求項１４】
テープ状に編成または裁断されていることを特徴とする請求項１〜１３のいずれか    に記載の伸縮性たて編地。
【請求項１５】
プリント加工によって模様が施されていることを特徴とする請求項１〜８、１２〜 １４のいずれかに記載の伸縮性たて編地。
【請求項１６】
エンボス加工によって模様が施されていることを特徴とする請求項１〜８、１２〜 １５のいずれかに記載の伸縮性たて編地。
【請求項１７】
オパール加工によって模様が施されていることを特徴とする請求項１〜８、１２〜 １６のいずれかに記載の伸縮性たて編地。
【請求項１８】
モールド加工により所要の形状が形成されていることを特徴とする請求項１〜１７    のいずれかに記載の伸縮性たて編地。
【請求項１９】
パンチング加工により所要の孔が開けられていることを特徴とする請求項１〜１８    のいずれかに記載の伸縮性たて編地。
【請求項２０】
請求項１〜１９のいずれかに記載の伸縮性たて編地を編成するに際して、抜き糸を    編み込み、抜き糸の両側に耳環糸を編み込み、双方の耳環糸にそれぞれの耳環糸が属    する側から弾性糸を挿入し、挿入した弾性糸の一部を抜き糸に絡めておき、編成後に    抜き糸を引き抜いて、複数の編地に分割することを特徴とする伸縮性たて編地の製造    方法。
【請求項２１】
テープ状に編成又は裁断された請求項１〜１９のいずれかに記載の伸縮性たて編地    が、繊維製品の所要の位置に貼り合わされ、又は縫い付けられているていることを特    徴とする衣類。
【請求項２２】
請求項９〜１１のいずれかに記載の伸縮性たて編地を用いて製作されていることを    特徴とする衣類。
【発明の詳細な説明】
【０００１】
【発明の属する技術分野】
本発明は、非弾性糸と弾性糸とを併用して編成した、薄地で編目が美しく伸縮性の大きな伸縮性たて編地、その製造方法、それを用いて製作された衣類に関する。
【０００２】
【従来の技術】
衣類、とくに婦人用衣類の多様化、ファッション化の傾向がますます進行し、多様な編地が次々に発明され、実用化されて生活を豊かにしている。
【０００３】
【発明が解決しようとする課題】
編地のなかでも薄地で編目が美しい、かつ伸縮性が大きく身体に気持ちよくフィットする、ファッショナブルな編地に対する要求が大きい。さらに最近は、大きなほつれを生じない編地を編成して縁部分の処理をせず、一部を裁断されたままの状態で縫製して縫製の合理化のみならず、お洒落な着衣として楽しむ傾向もある。本発明は縫製の合理化、新しい編地、衣類等の提供を課題として研究し、完成したものである。
【０００４】
【課題を解決するための手段】
従来から、トリコット編機の分野では、２枚おさを用い各おさを１コースごとに常に逆方向に移動させて編糸を対称的に供給し、安定してほつれにくいダブルトリコットが広く用いられている。しかし、前記編地には伸縮性が乏しいという欠点があるので、伸縮性の大きい編地に対する要望に応え各種編組織による伸縮性編地が開発され、生産されている。本発明においても前記課題を解決するために各種の編組織の改良を検討した結果、非弾性糸と弾性糸とを用い編成するダブルトリコット組織が一つの有力な解決手段になるが、縫製の際、編み糸がＸ字状に交差する箇所で非弾性糸のうしろに重なった弾性糸に切断しやすい傾向があり、いわゆるピンホールが発生する。また、弾性糸が表面側に出て、染色むら、いわゆる目むきが多くなるなどの問題のあることも判った。
【０００５】
一方、非弾性糸を、１枚おさにより編成する１×１トリコット組織（シングルトリコット又はシングルデンビーともいう）は、編目がそろって美しく薄いという特長がある反面、編み目が解編され易く、安定性に乏しい（ループドロップしやすい）という欠点があって特殊な用途以外には殆ど使用されていない。しかし、１×１トリコットを基本に非弾性糸に弾性糸を同行させて編成すれば、非弾性糸に弾性糸が交叉することもなく、編目がそろって美しく、弾性糸が非弾性糸の下目に入り染色むらのおそれの低い伸縮性編地を編成することができるものと考えた。さらに編地に実用可能な安定性を付与し、縁部のほつれを最小限に止めるための研究を行い、前記課題の解決をはかった。そして、１×１トリコットのファッショナブルな特長を残しつつ、ほつれの小さい実用的な伸縮性たて編地を完成したのである。
【０００６】
そして本発明は、前記の課題を解決する手段として、ナイロン、ポリエステル等の 合成繊維、レーヨン等の半合成繊維、絹、綿等の天然繊維から選ばれる１又は複数の 繊維からなる非弾性フィラメント糸又は非弾性紡績糸（以下、本発明に係る伸縮性た て編地の説明に関しては、単に「非弾性糸」という）と、ポリウレタン弾性糸又は／ 及びポリエーテル・エステル系弾性糸（同前、単に弾性糸という）とを同行させた１    ×１トリコットであって、
（Ａ）各編針において非弾性糸が閉じ目により、弾性糸が開き目により編成された編        物、
（Ｂ）各編針において非弾性糸および弾性糸が、ともに開き目と閉じ目とを交互に、        ただし、同じ編針においては非弾性糸の開き目に対して弾性糸は閉じ目、非弾性        糸の閉じ目に対して弾性糸は開き目が組み合わされて編成された編物、
のいずれかであり、かつ、前記の編物に１９０℃〜１９５℃のプレセット又は／及び    ヒートセットが施されている伸縮性たて編地を提供する。
【０００７】
また、本発明伸縮性たて編地は、１インチ当たり６０ウエール以上の巾狭に生地加工し、また、非弾性糸のランナーを弾性糸のランナーよりも大きく、かつ、非弾性糸のランナーを８５〜１２０ｃｍ／ラック、弾性糸のランナーを７０〜１１０ｃｍ／ラックにして編成することによって、さらに優れ、安定した編地になる。好ましくは、プレセットまたは／およびヒートセットを１８０℃を下らない温度の下に施して編地の安定性を向上することができる。
【０００８】
さらに、使用目的に応じて、部分的に他の部分よりも繊度の大きな弾性糸を編糸に用い締付パワー強化部分として編成した本発明編地、弾性糸を挿入したことを特徴とする本発明編地、非弾性糸を挿入したことを特徴とする本発明編地や、テープ状に編成または裁断した本発明編地は、それぞれに有用である。
【０００９】
前記の伸縮性たて編地は、ジャカードラッシェル機を用い編地に柄出しすることができる。ジャカードダブルラッシェル機を用いれば、編地を筒状もしくは袋状に編成し、さらに柄出しして編成することができ、利用範囲が拡大される。また、使用目的によっては、同じものを複数枚重ねて貼り合わせ、あるいはこれらの伸縮性たて編地の中から選んだ少なくとも２種の編地を複数枚組み合わせて重ね、貼り合わせて用いることができる。さらにまた、プリント加工、エンボス加工、オパール加工、モールド加工、パンチング加工などにより、模様や形状を付加し所要の開孔を施して容易に付加価値を高め、需用者のさまざまな要望に応えられる。
【００１０】
前記伸縮性たて編地は、当然、通常の編成手段により編成できるが、編成するに際して、抜き糸を、抜き糸の両側に耳環糸を編み込み、双方の耳環糸にそれぞれの耳環糸が属する側から弾性糸を挿入し、挿入した弾性糸の一部を抜き糸に絡めておき、編成後に抜き糸を引き抜いて、複数の編地に分割することも可能である。
【００１１】
本発明伸縮性たて編地を用いて縫製した繊維製品は広い用途を有する。一方、一部あるいはすべての縁を裁断したままの状態で衣類として製作することによって、新しいファッショナブルな繊維製品を提供できる可能性がある。ジャカードラッシェル機を用いて柄模様を附し、あるいは筒状、袋状に編成した伸縮性たて編地は、衣類としてファッション性を向上させ、縫製を合理化する手段としての価値も大きい。また、テープ状に編成又は裁断された本発明編地を繊維製品の所要の位置に貼り合わせ、又は縫い付けて、必要な締付パワーを付与できる。
【００１２】
【発明の実施の形態】
本発明について実施形態例をあげながら必要により図面を参照し具体的に説明する。なお、本説明において繊度は糸条の総繊度を意味する。
【００１３】
さて、図１に１×１シングルトリコットの基本的な編成形態を示した。本発明伸縮性たて編地は、主に図１に示される編成形態を組合せ、２枚おさの使用を標準に編成されるが、これらに限定されるものではなく、例えば閉じ目と開き目とが２つずつ交互に配列されたものであってもよい。ただし、各編針において編糸として同行する非弾性糸および弾性糸のうちの少なくとも１方が閉じ目になる組合せを選択することが必要である。
【００１４】
まず、本発明伸縮性たて編地は、非弾性糸に弾性糸を同行させた１×１トリコット編であって、伸縮性が付与され、かつ編目が揃って美しく薄いという特長がある。１×１トリコット編は糸脚が短く、とくに本発明では、各編針において非弾性糸と弾性糸のうちの少なくとも１方を閉じ目により編成して編目の安定、ほつれの防止をはかっている。
【００１５】
非弾性糸としては、ナイロンやポリエステルなどの合成繊維、レーヨンなどの半合成繊維、絹や綿などの天然繊維のいずれでも、またフィラメント糸、紡績糸のいずれも使用することができる。なかでも吸水性に富むナイロンはインナーウエア用編地として好ましく用いられる。弾性糸についてもとくに制限はなくポリウレタン弾性糸やポリエーテル・エステル系弾性糸を利用することができるが、一般的には、広く利用されているポリウレタン弾性糸やその被覆弾性糸が好適である。
【００１６】
本発明に係る編地の、非弾性糸が閉じ目により、弾性糸が開き目により編成されて    いる伸縮性たて編地（Ａ：図２に示す）、および非弾性糸と弾性糸とがともに開き目    と閉じ目とを交互に、ただし、同じ編針においては非弾性糸の開き目に対して弾性糸    は閉じ目、同様に閉じ目に対しては開き目が組み合わされ編成されている伸縮性たて    編地（Ｂ：図３に示す）が実用的で優れている。（Ａ）の編地はとくに外観に優れ、    （Ｂ）はループドロップしにくいという特長がある。
【００１７】
さらに本発明においては、編地の安定性、ほつれ防止効果などを得る目的で、一定 の温度を超える条件下でプレセットまたは／およびヒートセットが施される。前記の 温度は、装置の形状、プレセット処理時間、ヒートセット処理時間、素材の種類、編 地の厚さなどにもよるが、低くとも１８０℃を下らない温度、好ましくは１８５℃を 下らない温度で、さらに確実に前記の効果を得るには１９０℃〜１９５℃の範囲でプ レセットまたは／およびヒートセットを施しておくと、編地の一部が軟化し軽く融着 して編地の形態が安定し、ほつれにくくなる。処理時間は、たとえば６チャンバー構 成の装置を用い、１５〜４０ｍ／分程度、好ましくは２４〜３６ｍ／分程度である。
【００１８】
つぎに、本発明伸縮性たて編地は、可能な範囲で巾狭に編成することが編目の美し さを保持しつつ、その安定性を向上するために望ましい。編糸の繊度は編地を使用す る衣類や使用する部位によって適宜に選択される。婦人用下着類に使用する場合、一 般に弾性糸が４４〜７８ｄｔｅｘ、弾性糸を２本使用する場合には４４〜８８ｄｔｅ ｘの範囲、非弾性糸の繊度は２２〜４４ｄｔｅｘの範囲が好ましく用いられる。編成 に際しては、１インチ当たり６５ウエール以上、好ましくは７０ウエール前後の巾狭    に生地加工し、編地のよこ伸びの割合を大きくするとよい。上限は１００ウェール程    度である。具体的に、たとえば１３０インチのラッセル編機を使用して総本数を３６    ００本で編成する場合において、一般的な編地では仕上巾を１６０ｃｍ前後にするが    、本発明では１３０ｃｍ程度に巾狭に仕上加工することが望まれる。ただし、非弾性    糸にセルロース糸や綿糸を編み込む場合はこの限りではない。弾性糸の繊度が大きい    場合、とくに１３０ｄｔｅｘ以上の場合にはウエール数を１インチ当たり６０程度に    、総本数を３６００本とし、仕上げ幅を１５０ｃｍ程度に加工してもよい。
【００１９】
さらに、好ましくは、通常に較べて使用糸量を増やし、非弾性糸のランナーを弾性 糸のランナーよりも大きくアンバランスにする。具体的には、通常８０ｃｍ／ラック 以下の非弾性糸のランナーを８５〜１２０ｃｍ／ラック、好ましくは９５〜１１５ｃ ｍ／ラックとし、通常６０ｃｍ／ラック以下の弾性糸のランナーを７０〜１１０ｃｍ ／ラック、好ましくは７５〜１０５ｃｍ／ラックにして編成する。非弾性糸のランナ ーに対する弾性糸のランナーを７５〜９０％程度にするとよこ方向への適度な伸縮を 付与できる。
【００２０】
前記した本発明伸縮性たて編地においては、部分的に他の部分よりも繊度の大きな弾性糸を編糸に用い、締付パワーを強化した編地部分を一体に編成することができる。部分的に締付パワーの強化部分を必要とする婦人用の下着やガードル類を縫製する目的に有用であり、縫製コスト低減にも役立つ。また、前記本発明伸縮性たて編地に弾性糸または非弾性糸を挿入し、その繊度や挿入糸の密度を適宜に調整して、所要の伸度や伸縮パワーの編地を編成し、あるいは編目の安定性を向上させることができる。さらに例えば、適当な天然繊維を挿入糸として裏面に使うことにより、肌への感触を向上させる効果がある。また、適宜に柄糸を挿入しファッション性をもたせてもよい。
【００２１】
柄模様を付与するにはジャカード機構を利用するとよい。ジャカードラッシェル機は柄出しの制約が少なく、適宜、容易に複雑な柄出しが可能に、かつジャカードダブルラッシェル機を用いれば同時に筒状や袋状に編成できる利点がある。本発明編地に柄出しして編成する場合には、柄用糸のランナーは４０〜１２０ｃｍ／ラック、総本数は６００〜３６００本、仕上幅は１００〜１３０ｃｍの範囲が適当である。本発明編地は縁線部が裁断のままであってもほつれが防止されているので、筒状や袋状に編成し、必要であれば柄出しした編地を単に裁断することによって縫製なしに衣料に仕上げることができる。縫製の合理化と共に縫製線が外衣に現れることがなく、シームレスウェア用として有用である。
【００２２】
本発明伸縮性たて編地は、テープ状に編成または裁断しておけば便利である。たとえばこれらのテープ状編地を縁かがりなどをせずにそのまま、ブラジャーバックの上下縁やウエストバンドなどに縫い付けあるいは接着剤により貼り付け、容易に適宜の締付パワーを付与できる。ブラジャーのバックなど、より強い伸縮パワーを求められる部位においては、同じ本発明編地を複数枚重ねて貼り合わせ、あるいはこれらの伸縮性たて編地の中から選んだ少なくとも２種の編地を複数枚組み合わせて重ね、貼り合わせて用いることができる。通常は、同じ編地を２枚、接着剤を用いてドット状に貼り合わせるが、これに限られるものではない。
【００２３】
本発明編地は、必要により各種の後加工を施して付加価値を高めることができる。たとえばプリント加工、加熱エンボス加工やパンチング加工によって所要の模様を施し、また、ブラジャーカップなどに使用するためにモールド加工によって所要に型付けを施こしてもよい。さらに混紡、交編などの手段で第３の繊維を混用し、編成後に第３の繊維を薬品の捺染等によって部分的に除去し模様を出す、いわゆるオパール加工を施して、模様のある美しい編地にしてもよい。
【００２４】
本発明伸縮性たて編地は、所要の編み組織等に従いラッシェル編機、ジャカードラ    ッシェル編機、トリコット編機などを適宜に選択して公知の手段により編成すること    ができる。従来からの公知手段に加え、例えば、最近開発されたピエゾジャカード付    きダブルラッシェル機を利用して、図４に示されるように地編おさに弾性糸を用いて    １×１トリコットを編成し、ジャカードおさに非弾性糸を用い鎖編を編成しつつジャ    カードおさをその作用位置において、１コースおきか全体又は部分的によこ方向に１    針間移動させることによって、結果的に弾性糸と非弾性糸とが同行する１×１トリコ    ット編地を編成することもできる。
【００２５】
本発明の編地を効率的に編成するためには、抜き糸を編み込んで編成し、後で分割すればよい。具体的には、編地中に抜き糸を、抜き糸の両側に耳環糸を編み込み、各耳環糸にそれぞれの耳環糸の属する側から弾性糸を挿入し、挿入した弾性糸の一部を抜き糸に絡めておく。編地を編成した後、抜き糸を取り除けば編地が分割され、耳環糸が安定したヘムに形成する。編地中に締付パワーを強化した部分を編成して抜き糸を編み込み、編成後に抜き糸を除去すれば、分割された編地は、一体化したパワー強化ヘム付編地になる。衣料開口部などに利用すればよい。
【００２６】
【実施例】
実施例をあげて本発明を具体的に説明する。
【００２７】
実施例１
１３０インチのラッセル編機を用い、２枚おさで非弾性糸に繊度４４ｄｔｅｘ、３    ４フィラメントのマイクロフルダルナイロン糸を、弾性糸に繊度７８ｄｔｅｘのポリ ウレタン透明糸を使用し、両者を同行させて非弾性糸を閉じ目に、弾性糸を開き目に して１×１トリコットを編成した。総本数を３６００にしたので、一般的には編地の    仕上巾を１６０ｃｍ程度にするが、本例では１３０ｃｍ（約７０ウエル／インチ）に    設定し可能な限りの巾狭に仕上げた。また、ナイロン糸のランナーを１１０ｃｍ／ラ ックに、ポリウレタン糸のランナーを通常８０ｃｍ／ラック以下のところを１００ｃ ｍ／ラックに設定した。
【００２８】
編成後に６チャンバー構成の装置を用い、加熱温度１９２℃、やや長かったが２０ ｍ／分のヒートセットを実施した。得られた編地の外観は整然とし極めて魅力的であ    った。
【００２９】
実施例２
実施例１に用いたのと同じ編機を用い、２枚おさで非弾性糸に３３ｄｔｅｘのナイ    ロン糸を、弾性糸に繊度４４ｄｔｅｘのポリウレタン透明糸を使用し、両者を同行さ    せて、ともに開き目と閉じ目とを交互に、ただし、同じ編針においては非弾性糸の開    き目に対して弾性糸は閉じ目、同様に閉じ目に対しては開き目を組み合わせて１×１    トリコットを編成し１３０ｃｍの巾狭に仕上げた。また、ナイロン糸のランナーを通    常８０ｃｍ／ラック以下のところを１１０ｃｍ／ラックに、ポリウレタン糸のランナ    ーを通常６０ｃｍ／ラック以下のところを９５ｃｍ／ラックに設定した。編成した編    地は実施例１と同様にしてヒートセットを行った。得られた編地の外観は実施例１に 較べてやや劣っていたが、ループドロップし難く引き裂き強度は実施例１よりも優れ    ていた。
【００３０】
【００３１】
【００３２】
【発明の効果】
本発明伸縮性たて編地は、編糸に非弾性糸と弾性糸とを併用しているので伸縮性に富み、基本的に１×１トリコット編成であって編目が美しく、糸脚が短いので縁部でのほつれが小さく編地を裁ち放しのまま、縫製できるという長所がある。さらに、巾狭に、糸量を増やしてランナーを調整して編成することにより編地の安定性が向上しループドロップが防止される。ヒートセット、染色加工の温度を高めに、処理時間を長めに調整して編糸の軟化、融着を促進し、さらに編地の安定性が向上する。また、ジャカードラッセル編機を利用すれば、袋状の編物を容易に編成できるので裁ち放しのまま、必要があればさらに柄出しして製品衣類に加工することができる。
【図面の簡単な説明】
【図１】  本発明に係る伸縮性たて編地の基本的編組織を示す。
【図２】  非弾性糸が閉じ目、弾性糸が開き目により編成された本発明伸縮性たて編地          （請求項１、実施例１）の編組織を示す。
【図３】  非弾性糸、弾性糸が共に開き目と閉じ目を交互に、かつ同じ編針ではいずれ          かが閉じ目に編成された本発明伸縮性たて編地（請求項２、実施例２）の編組          織を示す。
【図４】  ピエゾジャカード付きダブルラッシェル機を利用した１×１トリコット編地          の編成説明図
【図１】
0003909361.tif 000002
【図２】
0003909361.tif 000003
【図３】
0003909361.tif 000004
【図４】
0003909361.tif 000005